(57)【要約】【課題】乗りかご内での操作不実行により当該乗りかご内に閉じ込められた乗客の発見を容易にする。【解決手段】エレベータ制御盤１は、乗りかご３が着床して開扉したドアが閉扉して呼びが登録されていない場合において、当該閉扉から予め定められた時間が経過した際に乗客が乗りかご３内にいる事を人感センサ４が検出している場合には乗りかご３内の様子が情報端末１３のモニタ１３ａに表示されるように、乗りかご内カメラ７が撮影した画像をもとにしたビデオ信号を通信変調装置９から遠隔監視センタ１１に送信させる。エレベータ制御盤１は遠隔監視センタ１１内のオペレータ１２が乗りかご３内の乗客２の声を聞くことができるように、インターホン６のマイクからの音声信号を通信変調装置９から遠隔監視センタ１１に送信させる。エレベータ制御盤１は情報端末１３からの指示にしたがって乗りかご３のドアを開扉させる。【選択図】      図１
2007031086.tif 000002
【特許請求の範囲】
【請求項１】
乗りかご内を撮影する撮影手段と、
前記乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記撮影手段により撮影した画像を外部装置に出力する出力手段と、
この出力手段により出力した画像を入力して表示した前記外部装置からの指示にしたがって前記乗りかごのドアが開扉するよう制御する手段と
を備えたことを特徴とするエレベータ。
【請求項２】
乗りかご内に設けられるインターホン装置と、
前記乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記インターホン装置により集音した音声を外部装置に出力する出力手段と、
前記出力手段により出力した音声を入力して再生した前記外部装置からの指示にしたがって前記乗りかごのドアが開扉するよう制御する手段と
を備えたことを特徴とするエレベータ。
【請求項３】
乗りかご内を撮影する撮影手段と、
前記乗りかご内に設けられるインターホン装置と、
前記乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記撮影手段により撮影した画像および前記インターホン装置により集音した音声を外部装置に出力する出力手段と、
前記出力手段により出力した画像および音声をそれぞれ入力して再生した前記外部装置からの指示にしたがって前記乗りかごのドアが開扉するよう制御する手段と
を備えたことを特徴とするエレベータ。
【請求項４】
前記出力手段により出力した画像を入力して再生した前記外部装置が設置される室内の撮影手段で撮影された画像を入力して前記乗りかご内で表示する表示手段をさらに備えたことを特徴とする請求項１に記載のエレベータ。
【請求項５】
乗りかご内を撮影する撮影手段と、
前記乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記撮影手段により撮影した画像を外部装置に出力する出力手段と、
この出力手段により出力した画像を入力してこれを再生した前記外部装置からの指示にしたがって前記乗りかごの行先階登録を行なう手段と
を備えたことを特徴とするエレベータ。
【請求項６】
前記検出手段は人感センサであることを特徴とする請求項１乃至請求項５のいずれかに記載のエレベータ。
【請求項７】
前記検出手段は前記乗りかご内での荷重を検出する荷重センサであり、
前記検出手段は前記乗りかごのドアが閉扉して呼び登録が無い状態で予め定められた時間が経過した際に予め定められた基準値以上の重量を前記荷重センサが検出した場合に、前記撮影手段により撮影した画像を外部装置に出力することを特徴とする請求項１に記載のエレベータ。
【請求項８】
乗りかご内を撮影する撮影手段と、
前記乗りかご内の乗客の有無を検出する人感センサと、
前記乗りかご内での荷重を検出する荷重センサと、
前記乗りかごのドアが閉扉して呼び登録が無い状態で予め定められた時間が経過した際に乗客が前記乗りかご内にいると前記人感センサが検出した場合または前記乗りかごのドアが閉扉して呼び登録が無い状態で予め定められた時間が経過した際に予め定められた基準値以上の重量を前記荷重センサが検出した場合に、前記撮影手段により撮影した画像を外部装置に出力する出力手段と、
この出力手段により出力した画像を入力してこれを再生した前記外部装置からの指示にしたがって前記乗りかごのドアが開扉するよう制御する手段と
を備えたことを特徴とするエレベータ。
【請求項９】
乗りかご内の乗客の有無を検出する検出手段と、
乗りかご操作盤の操作方法の案内情報を記憶する記憶手段と、
前記乗りかごのドアが閉扉して呼び登録が無い状態で予め定められた時間が経過した際に乗客が前記乗りかご内にいると前記検出手段が検出した場合に、前記記憶手段に記憶された案内情報を前記乗りかご内で出力する手段と
を備えたことを特徴とするエレベータ。
【請求項１０】
乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記乗りかごの行先階登録を行なう手段と
を備えたことを特徴とするエレベータ。
【請求項１１】
乗りかご内での荷重を検出する荷重センサと、
乗りかご内の乗客の有無を検出する人感センサと、
乗りかご操作盤の操作方法の案内情報を記憶する記憶手段と、
前記乗りかごのドアが閉扉して呼び登録が無い状態で予め定められた時間が経過した際に乗客が前記乗りかご内にいると前記人感センサが検出した場合または前記乗りかごのドアが閉扉して呼び登録が無い状態で予め定められた時間が経過した際に予め定められた基準値以上の重量を前記荷重センサが検出した場合に、前記記憶手段に記憶された案内情報を前記乗りかご内で出力する手段と
を備えたことを特徴とするエレベータ。
【請求項１２】
乗りかご内での荷重を検出する荷重センサと、
乗りかご内の乗客の有無を検出する人感センサと、
前記乗りかごのドアが閉扉して呼び登録が無い状態で予め定められた時間が経過した際に乗客が前記乗りかご内にいると前記人感センサが検出した場合または前記乗りかごのドアが閉扉して呼び登録が無い状態で予め定められた時間が経過した際に予め定められた基準値以上の重量を前記荷重センサが検出した場合に、前記乗りかごの行先階登録を行なう手段と
ことを特徴とする記載のエレベータ。
【請求項１３】
エレベータ装置が通信回線を介して監視室側装置と接続されてなるシステムであって、
前記エレベータ装置は、
乗りかご内を撮影する撮影手段と、
前記乗りかご内に設けられたインターホン装置と、
前記乗りかご内の乗客の有無を検出する検出手段と、
前記乗りかごのドアが閉扉して呼び登録が無い状態で予め定められた時間が経過した際に乗客が前記乗りかご内にいると前記検出手段が検出した場合に、前記撮影手段により撮影した画像および前記インターホン装置が前記乗りかご内で集音した音声を前記通信回線を介して前記監視室側装置に出力する出力手段と、
前記端末装置からの指示にしたがって前記乗りかごのドアが開扉するよう制御する手段とを備え、
前記監視室側装置は、
前記エレベータ装置の出力手段により前記通信回線を介して出力された画像を表示する表示手段と、
監視室内に設けられるマイクロホンと、
このマイクロホンにより集音した音声を前記エレベータ装置のインターホン装置に出力する出力手段と、
前記エレベータ装置の出力手段により前記通信回線を介して出力された音声を入力してこれを再生する音声再生手段と、
前記エレベータ装置に前記乗りかごのドアの開閉を指示する手段と
を備えることを特徴とするエレベータシステム。
【発明の詳細な説明】
【技術分野】
【０００１】
本発明は、乗りかご内の映像および当該乗りかご内で集音した音声を出力する機能を有するエレベータおよびエレベータシステムに関する。
【背景技術】
【０００２】
従来、エレベータの乗りかご内には非常通報装置として非常呼びボタンとインターホン装置が設置される。このインターホン装置は通信回線を介して建物内の管理人室や建物外の遠隔監視センタと接続される。
【０００３】
エレベータ利用者である乗客が機器故障や災害の発生によって乗りかご内に閉じ込められてしまった場合に非常呼びボタンを押すとインターホン装置の接続先である管理人室や遠隔監視センタ側の通話装置を介して管理人室内の管理人や遠隔監視センタ内のオペレータと通話することで救出を要請することができる。
【０００４】
また、例えば特許文献１に開示されたように、エレベータの異常発生時に乗りかごと監視センタとの間で画像および音声の双方向の伝送を行なうものがある。このような構成では監視センタのオペレータは乗りかご内の乗客の状況を把握した上で当該乗客の救出にとりかかることができる。
【特許文献１】特開平７−２５７８４２号公報
【発明の開示】
【発明が解決しようとする課題】
【０００５】
しかし、乗客はエレベータの機器故障や災害以外の原因で乗りかご内に閉じ込められる場合がある。具体的には、乗りかご内の乗客が例えばお年寄りや子供などであってエレベータの使用方法が分からないために乗りかご内での行先階登録を行なうことができず、ドアが閉まってしまってもエレベータの新たな利用者が現れるまで乗りかご内に閉じ込められてしまう場合がある。このような事態は乗りかご内に乗った乗客の体調が急変した場合でも起こり得る。
【０００６】
そこで、本発明の目的は、乗りかご内での操作不実行により当該乗りかご内に閉じ込められた乗客の発見を容易にすることが可能になるエレベータおよびエレベータシステムを提供することにある。
【課題を解決するための手段】
【０００７】
すなわち、本発明に係わるエレベータは、乗りかご内を撮影する撮影手段と、この乗りかご内の乗客の有無を検出する検出手段とを備え、乗りかごのドアが閉扉して呼び登録が無い状態で予め定められた時間が経過した際に乗客が乗りかご内にいると検出手段が検出した場合に撮影手段により撮影した画像を外部装置に出力し、この出力した画像を入力して表示した外部装置からの指示にしたがって乗りかごのドアの開扉させることを特徴とする。
【発明の効果】
【０００８】
本発明に係わるエレベータでは、乗りかご内を撮影する撮影手段と、この乗りかご内の乗客の有無を検出する検出手段とを備え、乗りかごのドアが閉扉して呼び登録が無い状態で予め定められた時間が経過した際に乗客が乗りかご内にいると検出手段が検出した場合に撮影手段により撮影した画像を外部装置に出力し、この出力した画像を入力して表示した外部装置からの指示にしたがって乗りかごのドアを開扉させるので、乗りかご内での操作不実行により当該乗りかご内に閉じ込められた乗客の発見を容易にすることができる。
【発明を実施するための最良の形態】
【０００９】
以下図面により本発明の実施形態について説明する。  
（第１の実施形態）
まず、本発明の第１の実施形態について説明する。  
図１は、本発明の第１の実施形態にしたがったエレベータシステムの構成例を示すブロック図である。
【００１０】
本発明の第１の実施形態にしたがったエレベータシステムは機械室内にエレベータ制御盤１を備える。エレベータ制御盤１は乗客２が乗り込むための乗りかご３の昇降を制御する。また、図示はしないが、乗りかご３は巻き上げ機のモータ軸に設けられたシーブに巻き掛けられたロープを介してカウンタウェイトと連結される。乗りかご３はエレベータ制御盤１による制御にしたがった巻き上げ機の駆動によるシーブの回転に伴い、カウンタウェイトとともに互いに上下反対方向に昇降する。
【００１１】
乗りかご３の内側面には人感センサ４が設けられる。人感センサ４は乗りかご３内に乗客２が乗り込んでいる場合に、この旨を示す制御信号をエレベータ制御盤１に出力する。  
また、乗りかご操作盤５にはインターホン６および乗りかご内カメラ７が一体化されて設けられる。インターホン６はマイクロホンおよびスピーカでなり、エレベータ制御盤１と接続される。以下、マイクロホンを単にマイクと称する。
【００１２】
また、乗りかご３の上部には映像コントローラ８が設けられる。機械室には通信変調装置９が備えられ、これはエレベータ制御盤１と接続される。映像コントローラ８は乗りかご内カメラ７が撮影した画像をビデオ信号に変換して通信変調装置９に出力する。乗りかご内カメラ７が撮影する画像は静止画であってもよいし動画であってもよい。
【００１３】
通信変調装置９は通信回線網１０を介して遠隔監視センタ１１のゲートウェイ１６と接続される。
【００１４】
遠隔監視センタ１１はオペレータ１２が操作するための情報端末１３を備える。情報端末１３は乗りかご内カメラ７が撮影した画像をゲートウェイ１６を介して入力して、これをモニタ１３ａに表示する。
【００１５】
情報端末１３はスピーカ１４、マイク１５および入力装置１７を備える。スピーカ１４は乗りかご３内のインターホン６のマイクが入力した音声を再生する。一方、インターホン６のスピーカは遠隔監視センタ１１内のマイク１５が入力した音声を再生する。
【００１６】
次に、本発明の第１の実施形態にしたがったエレベータシステムの動作について説明する。  
まず、エレベータ制御盤１は、乗りかご３が着床して開扉したかごドアが閉扉して呼びが登録されていない場合において、当該閉扉後に予め定められた時間が経過した際に人感センサ４からの制御信号を入力している場合には、乗りかご３内に閉じ込め者がいる旨を示す閉じ込め者検出信号を通信変調装置９に出力する。
【００１７】
通信変調装置９はエレベータ制御盤１からの閉じ込め者検出信号を通信回線網１０を介して遠隔監視センタ１１に送信する。また、この場合にはエレベータ制御盤１は映像コントローラ８からのビデオ信号の出力を指示するための制御信号を通信変調装置９に出力する。
【００１８】
通信変調装置９はエレベータ制御盤１からのビデオ信号出力指示にかかる制御信号を入力すると、映像コントローラ８からのビデオ信号を伝送用ビデオ信号に変換し、この信号を当該通信回線網１０を介して遠隔監視センタ１１に送信する。伝送用ビデオ信号とは通信回線網１０上で送信可能なビデオ信号である。
【００１９】
また、エレベータ制御盤１は遠隔監視センタ１１内のオペレータ１２が乗りかご３内の乗客２の声を聞くことができるように、インターホン６のマイクからの音声信号を通信変調装置９に出力する。
【００２０】
通信変調装置９はエレベータ制御盤１からの音声信号を入力すると、これを伝送用音声信号に変換し、この信号を当該通信回線網１０を介して遠隔監視センタ１１に送信する。伝送用音声信号とは通信回線網１０上での伝送が可能な音声信号である。
【００２１】
一方、遠隔監視センタ１１のゲートウェイ１６は通信変調装置９から通信回線網１０経由で送信された閉じ込め者検出信号や伝送用ビデオ信号や伝送用音声信号を受信すると、これを情報端末１３に出力する。情報端末１３は閉じ込め者検出信号を入力すると、乗りかご３内に閉じ込められた乗客２がいる旨を示すメッセージをモニタ１３ａに表示させる。
【００２２】
情報端末１３はゲートウェイ１６からの伝送用ビデオ信号を入力すると、これを通常のビデオ信号に再変換し、この信号に含まれる画像をモニタ１３ａに表示させる。また、情報端末１３はゲートウェイ１６からの伝送用音声信号を入力すると、これを通常の音声信号に再変換し、この信号に含まれる音声をスピーカ１４から再生させる。
【００２３】
また、情報端末１３はゲートウェイ１６からの閉じ込め者検出信号を入力すると、乗りかご３内の乗客２が遠隔監視センタ１１内のオペレータ１２の声を聞くことができるように、マイク１５から入力した音声信号を伝送用音声信号に変換して、これをゲートウェイ１６を介してエレベータ側の通信変調装置９に送信する。
【００２４】
また、エレベータ側の通信変調装置９は情報端末１３からの伝送用音声信号を入力すると、これを通常の音声信号に再変換してエレベータ制御盤１に出力する。エレベータ制御盤１は通信変調装置９からの音声信号に含まれる音声をインターホン６のスピーカから再生させる。
【００２５】
このような制御を行なうと、乗りかご３内で撮影された画像や当該乗りかご３内で集音された音声を遠隔監視センタ１１側で再生でき、また、遠隔監視センタ１１で集音された音声を乗りかご３内で再生できるようになる。すると、遠隔監視センタ１１のオペレータ１２は乗りかご３内の様子を把握することができ、乗りかご３内の乗客２と通話することができる。
【００２６】
情報端末１３は、オペレータ１２がマイク１５やインターホン６を介することで乗客２に対して乗りかご操作盤５の操作方法を伝達しても当該乗客２がこの操作を行なえない場合等に当該オペレータ１２が入力装置１７に対する所定の操作を行なうと、開扉指令信号をゲートウェイ１６および通信回線網１０を介して通信変調装置９に送信する。
【００２７】
通信変調装置９は情報端末１３からの開扉指令信号を入力すると、これをエレベータ制御盤１に出力する。エレベータ制御盤１は通信変調装置９からの開扉指令信号を入力すると乗りかご３のドアおよび当該乗りかご３の着床階のホールドアの開扉を制御する。
【００２８】
以上のように、本発明の第１の実施形態にしたがったエレベータシステムシステムでは、乗りかご３が着床して開扉したドアが閉扉して呼びが登録されていない場合において、当該閉扉から予め定められた時間が経過した際に乗客２が乗りかご３内にいる事が認められる場合には、この旨を遠隔監視センタ１１に伝達できるばかりでなく、乗りかご３内で撮影した画像を遠隔監視センタ１１側で再生することができ、かつ、乗りかご３内の乗客２および遠隔監視センタ１１のオペレータ１１との間で双方向の通話を行なうことができる。よって、機器故障や災害以外の要因、つまり乗りかご操作盤５に対する操作の不実行により乗りかご３内に閉じ込められた乗客２の不安感を軽減させることができるばかりでなく、乗客２が急病などにより乗りかご３で倒れた場合でもこれをオペレータ１２が把握することができる。この場合にはオペレータ１２は例えば救急車の手配を行なうなどの乗客２の救出のための適切な処置を迅速に実行することができる。
【００２９】
（第２の実施形態）
次に、本発明の第２の実施形態について説明する。なお、本実施形態にしたがったエレベータシステムの構成は本発明の第１の実施形態にしたがったエレベータシステムの構成とほぼ同様であるので、図１に示したものと同一部分の説明は省略し、差異部分を中心に説明する。  
図２は、本発明の第２の実施形態にしたがったエレベータシステムの構成例を示すブロック図である。
【００３０】
このエレベータシステムでは、本発明の第１の実施形態にしたがったエレベータシステムと比較して乗りかご３の内部に乗りかご内モニタ２１をさらに備える。乗りかご内モニタ２１はインターホン６やマイク７と同様に乗りかご操作盤５と一体化され、映像コントローラ８と接続される。
【００３１】
また、遠隔監視センタ１１内の情報端末１３はオペレータ１２の顔を撮影するためのカメラ２２をさらに備える。
【００３２】
本実施形態にしたがったエレベータシステムの動作は本発明の第１の実施形態にしたがったエレベータシステムの動作と同様である。ただし遠隔監視センタ１１の情報端末１３はエレベータ制御盤１からの閉じ込め者検出信号を入力すると、マイク１５から入力した音声信号の出力とは別に、カメラ２２からの画像を伝送用ビデオ信号に変換した上でゲートウェイ１６を介して通信変調装置９に出力する。
【００３３】
通信変調装置９は、情報端末１３からの伝送用ビデオ信号を入力すると、これを通常のビデオ信号に変換した上で映像コントローラ８に出力する。映像コントローラ８はこの入力したビデオ信号に含まれる画像を乗りかご内モニタ２１に表示させる。
【００３４】
つまり本発明の第２の実施形態にしたがったエレベータシステムは本発明の第１の実施形態にしたがったエレベータシステムでの特徴に加え、乗りかご３が着床して開扉したドアが閉扉して呼びが登録されていない場合において、当該閉扉から予め定められた時間が経過した際に乗客２が乗りかご３内にいる事が認められる場合に、遠隔監視センタ１１内のオペレータ１２の顔の画像が乗りかご内モニタ２１に表示される。これにより乗客２とオペレータ１２はお互いの顔を見ながら双方向の通話を行なうことができる。よって、乗りかご３内に閉じ込められた乗客２の不安感をより一層軽減させることができる。
【００３５】
（第３の実施形態）
次に、本発明の第３の実施形態について説明する。なお、本実施形態にしたがったエレベータの構成は図２に示したものと同様である。
【００３６】
前述した実施形態ではエレベータ制御盤１は乗客２が乗りかご３内での乗りかご操作盤５の操作不実行により乗りかご３内に閉じ込められた場合に遠隔監視センタ１１からの指令にしたがって乗りかご３のドアの開扉を制御したが、本実施形態ではこれに代えて遠隔監視センタ１１からの指令にしたがって乗りかご３に関する行先階登録を行なう。
【００３７】
具体的には、前述したようにオペレータ１２と乗客２とがお互いに顔を見ながら双方向の通話を行なうことでオペレータ１２が乗客２に対して乗りかご操作盤５の操作方法を伝達しても当該乗客２がこの操作を行なえない場合などに、このオペレータ１２が乗客２から目的階を聞き出して、オペレータ１７が入力装置１７に対して前述した目的階と対応する行先階登録にかかる所定の操作を行なう。すると情報端末１３はこの目的階の行先階登録の指令信号をゲートウェイ１６および通信回線網１０を介して通信変調装置９に送信する。
【００３８】
通信変調装置９は情報端末１３からの行先階登録の指令信号を入力すると、これをエレベータ制御盤１に出力する。エレベータ制御盤１は通信変調装置９からの行先階登録の指令信号を入力すると前述した目的階の行先階登録を行ない、この行先階まで乗りかご３を昇降させる。
【００３９】
このような制御を行なうことで乗客２が乗りかご操作盤５の操作不実行により乗りかご３に閉じ込められた場合に、この乗客２を目的階まで案内することができる。
【００４０】
この実施形態では乗りかご３内の乗客２の目的階の行先階登録の指令信号を情報端末１３からゲートウェイ１６および通信回線網１０を介して通信変調装置９に送信する構成とした。しかしこれに限らず、例えば乗りかご３が各階床に着床して当該乗りかご３のドアが開閉するようにオペレータ１３が入力装置１７に対して所定の操作を行なった場合に情報端末１３が各階床の行先階登録の指令信号をゲートウェイ１６および通信回線網１０を介して通信変調装置９に送信するようにしてもよい。
【００４１】
（第４の実施形態）
次に、本発明の第４の実施形態について説明する。なお、本実施形態にしたがったエレベータシステムの構成は本発明の第２の実施形態にしたがったエレベータシステムの構成とほぼ同様であるので、図２に示したものと同一部分の説明は省略し、差異部分を中心に説明する。
【００４２】
図３は、本発明の第４の実施形態にしたがったエレベータシステムの構成例を示すブロック図である。  
本実施形態にしたがったエレベータシステムは本発明の第２の実施形態にしたがったエレベータシステムと比較して遠隔監視センタ１１の代わりに建物内管理室２４を備える。この建物内管理室２４はエレベータ制御盤１の設置建物内に設けられる。建物内管理室２４は例えば防災センタであってもよい。
【００４３】
建物内管理室２４は遠隔監視センタ１１と同様に情報端末１３を備える。この情報端末１３はオペレータ１２の代わりに建物内管理室２４の係員２５が操作する。また、情報端末１３はゲートウェイ１６、通信回線網１０の代わりに建物内ＬＡＮ２３を介して通信変調装置９と直接接続される。また、情報端末１３は遠隔監視センタ１１と同様にスピーカ１４、マイク１５および入力装置１７を備える。
【００４４】
本実施形態にしたがったエレベータシステムの動作は本発明の第２の実施形態にしたがったエレベータシステムの動作と同様である。ただし、通信変調装置９と情報端末１３の間では建物内ＬＡＮ２３を介して信号が伝送される。
【００４５】
前述した本発明の第２の実施形態にしたがったエレベータシステムでは乗客２が乗りかご３内で閉じ込められた旨を遠隔監視センタ１１のオペレータ１２に伝達してこのオペレータ１２が他のエレベータに関する対処を行っている等の理由による乗りかご３内での乗客２への対処の遅れが発生する可能性がある。しかし本発明の第４の実施形態にしたがったエレベータシステムでは乗客２が乗りかご操作盤５の操作不実行により乗りかご３内に閉じ込められた事をエレベータ制御盤１の設置建物と同一の建物内にいる係員２５が把握することができる。この係員２５は同一建物内の管理のみを行なうので前述したような対処の遅れを招くことはない。
【００４６】
また、本発明の第４の実施形態にしたがったエレベータシステムを用いれば、乗客２が急病などにより乗りかご３内から出られなくなった場合に係員２５は直接乗りかご３まで乗客２を救出に行くなどの対処が素早く行なえる。
【００４７】
（第５の実施形態）
次に、本発明の第５の実施形態について説明する。なお、本実施形態にしたがったエレベータシステムの構成は本発明の第２の実施形態にしたがったエレベータシステムの構成とほぼ同様であるので、図２に示したものと同一部分の説明は省略し、差異部分を中心に説明する。
【００４８】
図４は、本発明の第５の実施形態にしたがったエレベータシステムの構成例を示すブロック図である。  
この実施形態にしたがったエレベータでは本発明の第２の実施形態にしたがったエレベータシステムと比較して乗りかご３内に人感センサ４を設ける代わりに乗りかご３の床下に荷重検出装置２６を設ける。この荷重検出装置２６はエレベータ制御盤１と接続される。この荷重検出装置２６は乗りかご３における過荷重を検出するために標準的に設けられる装置である。
【００４９】
荷重検出装置２６は、前述した過荷重の検出とは別に、この過荷重の基準値より低い予め定められた基準値以上の重量を検出した際に乗りかご３に乗客２が乗り込んでいる旨を示す制御信号をエレベータ制御盤１に出力する。
【００５０】
本実施形態にしたがったエレベータシステムの動作は本発明の第２の実施形態にしたがったエレベータシステムの動作と同様である。ただしエレベータ制御盤１は乗りかご３が着床して開扉したドアが閉扉して呼びが登録されていない場合において、当該閉扉から予め定められた時間が経過した際に荷重検出装置２６からの制御信号を入力している場合に前述した閉じ込め者検出信号を通信変調装置９に出力する。
【００５１】
このような構成とすれば、前述した人感センサ４を乗りかご３内に新たに設けなくとも本発明の第１の実施形態や第２の実施形態にしたがったエレベータシステムと同様の特徴を有するシステムを安価なコストにより実現することができる。
【００５２】
（第６の実施形態）
次に、本発明の第６の実施形態について説明する。なお、本実施形態にしたがったエレベータシステムの構成は本発明の第２の実施形態にしたがったエレベータシステムの構成とほぼ同様であるので、図２に示したものと同一部分の説明は省略し、差異部分を中心に説明する。
【００５３】
図５は、本発明の第６の実施形態にしたがったエレベータシステムの構成例を示すブロック図である。  
人感センサ４は乗りかご３内の乗客２の有無を検出する。しかし人感センサ４の乗りかご３内での設置箇所によっては、当該人感センサ４は例えば乗客２が急病などで乗りかご３内で倒れている場合に当該乗客２の存在を検出できない場合がある。また、荷重検出装置２６は例えば乗りかご３に乗っている乗客２が幼児などの体重が軽い乗客である場合にこの乗客の荷重を検出できない場合がある。そこで本実施形態では乗りかご３内での乗客２の有無の検出精度を向上させるために本発明の第２の実施形態にしたがったエレベータシステムと比較して乗りかご３の床下に荷重検出装置２６をさらに備える。
【００５４】
本実施形態にしたがったエレベータシステムの動作は本発明の第２の実施形態にしたがったエレベータシステムの動作と同様である。ただしエレベータ制御盤１は乗りかご３が着床して開扉したドアが閉扉して呼びが登録されていない場合において、当該閉扉から予め定められた時間が経過した際に荷重検出装置２６からの制御信号および人感センサ４からの制御信号のいずれかを入力している場合に、乗りかご３内に閉じ込め者がいる旨を示す閉じ込め者検出信号を通信変調装置９に出力する。
【００５５】
このような構成とすることで、本発明の第２の実施形態にしたがったエレベータシステムと比較して乗りかご３内での乗客の有無の検出精度を向上させることができる。
【００５６】
（第７の実施形態）
次に、本発明の第７の実施形態について説明する。なお、本実施形態にしたがったエレベータの構成のうち図１に示したものと同一部分の詳しい説明は省略する。図６は、本発明の第７の実施形態にしたがったエレベータの構成例を示すブロック図である。
【００５７】
本発明の第７の実施形態にしたがったエレベータは機械室内にエレベータ制御盤１を備える。エレベータ制御盤１はエレベータ乗客２が乗り込む乗りかご３の昇降を制御する。
【００５８】
乗りかご３の床下には荷重検出装置２６が設けられる。この荷重検出装置２６はエレベータ制御盤１と接続される。また、乗りかご３の上部にはアナウンス装置３１が設けられる。乗りかご操作盤５にはアナウンス再生スピーカ３２および操作釦３３が一体化されて設けられる。アナウンス装置３１は図示しないメモリに乗りかご操作盤５の操作方法の案内メッセージの音声データを記憶する。アナウンス再生スピーカ３２はアナウンス装置３１を介してエレベータ制御盤１と接続される。
【００５９】
次に、本発明の第７の実施形態にしたがったエレベータの動作について説明する。  
まず、エレベータ制御盤１は、乗りかご３が着床して開扉したドアが閉扉して呼びが登録されていない場合において、当該閉扉から予め定められた時間が経過した際に荷重検出装置２６からの制御信号を入力している場合には、アナウンス装置３１に対し前述した案内メッセージの再生を指示するための制御信号を出力する。アナウンス装置３１はエレベータ制御盤１からの制御信号を入力すると、前述した案内メッセージの音声データをメモリから読み出し、このデータに含まれる音声をアナウンス再生スピーカ３２から再生させる。
【００６０】
以上説明したように本発明の第７の実施形態にしたがったエレベータは、乗りかご３が着床して開扉したドアが閉扉して呼びが登録されていない場合において、当該閉扉から予め定められた時間が経過した際に乗客２が乗りかご３内にいることが認められる場合に、乗りかご操作盤５の操作方法を示す案内メッセージを乗りかご３内で再生する。よって乗客２が乗りかご操作盤５の操作方法が理解できないために乗りかご３内に閉じ込められた場合に当該乗客２が乗りかご３から自力で出来るよう促すことができる。
【００６１】
また、図示しない乗りかご制御装置はエレベータ制御盤１からの指示を受けた場合に、前述した案内メッセージの再生とは別に、操作釦３３のうち例えば戸開釦を点滅させた上で、この釦を押下するように乗客２に促すためのメッセージをアナウンス再生スピーカ３２から再生させてもよい。
【００６２】
また、エレベータ制御盤１は乗りかご３が着床して開扉したドアが閉扉して呼びが登録されていない場合において、当該閉扉から予め定められた時間が経過した際に荷重検出装置２６からの制御信号を入力している場合に乗りかご３を各階停止させる制御を行ってもよい。この場合にはエレベータ制御盤１は乗りかご３が終端階に到着する前に荷重検出装置２６からの制御信号の出力が停止した場合には、乗りかご３に閉じ込められた乗客２が当該乗りかご３から降りたとみなし、乗りかご３の各階停止運転の制御を停止するようにしてもよい。
【００６３】
また、アナウンス装置３１に乗りかご３の各階停止運転の開始案内メッセージの音声データを予め記憶しておき、エレベータ制御盤１は乗りかご３の各階停止運転の開始前にアナウンス装置３１に対し各階停止運転の開始案内メッセージの再生を指示するための制御信号を出力してもよい。この場合アナウンス装置３１はエレベータ制御盤１からの制御信号を入力すると各階停止運転の開始案内メッセージの音声をアナウンス再生スピーカ３２から再生させる。
【００６４】
（第８の実施形態）
次に、本発明の第８の実施形態について説明する。なお、本実施形態にしたがったエレベータの構成は本発明の第７の実施形態にしたがったエレベータの構成とほぼ同様であるので、差異部分を中心に説明する。図７は、本発明の第８の実施形態にしたがったエレベータの構成例を示すブロック図である。
【００６５】
本実施形態にしたがったエレベータは本発明の第７の実施形態にしたがったエレベータと比較して乗りかご３の内壁面に人感センサ４をさらに備える。この人感センサ４はエレベータ制御盤１と接続される。
【００６６】
本実施形態にしたがったエレベータの動作は本発明の第７の実施形態にしたがったエレベータの動作と同様である。ただし、エレベータ制御盤１は乗りかご３が着床して開扉したドアが閉扉して呼びが登録されていない場合において当該閉扉から予め定められた時間が経過した際に荷重検出装置２６からの制御信号および人感センサ４からの制御信号のいずれかを入力している場合にアナウンス装置３１に対し前述した案内メッセージの再生を指示するための制御信号を出力する。
【００６７】
このような構成とすれば、本発明の第７の実施形態にしたがったエレベータと比較して乗りかご３内での乗客の有無の検出精度を向上させることができる。
【００６８】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６９】
【図１】本発明の第１の実施形態にしたがったエレベータシステムの構成例を示すブロック図。
【図２】本発明の第２の実施形態にしたがったエレベータシステムの構成例を示すブロック図。
【図３】本発明の第４の実施形態にしたがったエレベータシステムの構成例を示すブロック図。
【図４】本発明の第５の実施形態にしたがったエレベータシステムの構成例を示すブロック図。
【図５】本発明の第６の実施形態にしたがったエレベータシステムの構成例を示すブロック図。
【図６】本発明の第７の実施形態にしたがったエレベータの構成例を示すブロック図。
【図７】本発明の第８の実施形態にしたがったエレベータの構成例を示すブロック図。
【符号の説明】
【００７０】
１…エレベータ制御盤、２…乗客、３…乗りかご、４…人感センサ、５…乗りかご操作盤、６…インターホン、７…乗りかご内カメラ、８…映像コントローラ、９…通信変調装置、１０…通信回線網、１１…遠隔監視センタ、１２…オペレータ、１３…情報端末、１３ａ…モニタ、１４…スピーカ、１５…マイク、１６…ゲートウェイ、１７…入力装置、２１…乗りかご内モニタ、２２…カメラ、２３…建物内ＬＡＮ、２４…建物内管理室、２５…係員、２６…荷重検出装置、３１…アナウンス装置、３２…アナウンス再生スピーカ、３３…操作釦。
【図１】
2007031086.tif 000003
【図２】
2007031086.tif 000004
【図３】
2007031086.tif 000005
【図４】
2007031086.tif 000006
【図５】
2007031086.tif 000007
【図６】
2007031086.tif 000008
【図７】
2007031086.tif 000009